(57)【要約】【課題】液漏れ検知対象物を保護しつつ、液漏れ検知対象物の状態を外部から観察することができる液体検知シートを提供すること。【解決手段】液体センサ部と、延長部とを有する、液体検知シート。液体センサ部及び延長部は、液体検知シートの厚みに直交する方向に離間して配置されている。延長部の少なくとも一部は透明である。【選択図】図１
2018040628.tif 000002
【特許請求の範囲】
【請求項１】
液体センサ部と、延長部とを有する、液体検知シートであって、
前記液体センサ部及び前記延長部は、前記液体検知シートの厚みに直交する方向に離間して配置され、
前記延長部の少なくとも一部は透明である、液体検知シート。
【請求項２】
前記液体センサ部は、
第１の導電層、絶縁層及び第２の導電層がこの順で積層した積層体であって、前記第１の導電層、前記絶縁層及び前記第２の導電層を前記積層方向に貫通する貫通孔を有する、積層体、又は、
絶縁基材と、前記絶縁基材の一方の面上に設けられた一対の電極とを有する、電極基材である、請求項１に記載の液体検知シート。
【請求項３】
前記液体センサ部の一方の面上に設けられた第１の吸液層を更に備える、請求項１又は２に記載の液体検知シート。
【請求項４】
前記延長部が前記液体センサ部と対向するように前記液体検知シートを折り曲げた状態で、前記延長部と前記液体センサ部とを固定する固定部材を更に備える、請求項１〜３のいずれか一項に記載の液体検知シート。
【請求項５】
前記固定部材は、前記延長部と前記液体センサ部とを着脱可能に固定する、請求項４に記載の液体検知シート。
【発明の詳細な説明】
【技術分野】
【０００１】
本発明は、液体検知シートに関する。
【背景技術】
【０００２】
従来、血液や尿などの液体を検知する液体センサは、医療、介護などの現場において幅広く必要とされている。
【０００３】
例えば、医療の現場では、血液透析の処置中に患者の血管に挿入された針が抜けるなどして血液が漏出し、患者がショック死する事故が起こり得る。このような事故を未然に防ぐため、血液の漏出を検知する液体センサの利用が検討されている（例えば、特許文献１〜１０参照）。
【０００４】
また、老人介護の現場では、尿漏れを検知する液体センサの利用が検討されている（例えば、特許文献１１及び１２参照）。
【０００５】
また、医療や介護以外の現場では、例えば、工場、機器装置内部などに配設されたパイプ配管からの漏水を検知する液体センサの利用が検討されている（例えば、特許文献１３〜１６参照）。
【先行技術文献】
【特許文献】
【０００６】
【特許文献１】特開２００７−１５１６２４号公報
【特許文献２】特許第５５８７８１７号公報
【特許文献３】実用新案登録第３１９０７３３号公報
【特許文献４】特許第４３６８６７６号公報
【特許文献５】特表２００７−５０２１４８号公報
【特許文献６】国際公開第２０１２／０２０５０７号公報
【特許文献７】国際公開第２０１２／１１１１５７号公報
【特許文献８】実開平０５−０７９４６８号公報
【特許文献９】特開２００４−１７７１２０号公報
【特許文献１０】特開２００７−１４３８９５号公報
【特許文献１１】特開２００７−２４０４７０号公報
【特許文献１２】特許第３３３４２３３号公報
【特許文献１３】実開平０３−００６５５５号公報
【特許文献１４】実開平０４−０２１８５２号公報
【特許文献１５】実開平０４−０３６４４０号公報
【特許文献１６】特公平０４−０４５０９６号公報
【発明の概要】
【発明が解決しようとする課題】
【０００７】
従来の液体センサを用いて液漏れを検知する場合、液体センサは、例えば、液漏れを検知する対象物である液漏れ検知対象物の下に配置される。これにより、液漏れ検知対象物から漏出した液体が液体センサに供給され、液体センサが作動することで、液漏れを検知することができる。
【０００８】
しかしながら、従来の液体センサでは、液漏れを検知する場合に、液漏れ検知対象物を保護すること、及び、液漏れ検知対象物の状態を外部から観察することの両方を同時に達成することは困難であった。
【０００９】
本発明は上記事情に鑑みてなされたものであり、液漏れ検知対象物を保護しつつ、液漏れ検知対象物の状態を外部から観察することができる液体検知シートを提供することを目的とする。
【課題を解決するための手段】
【００１０】
本発明の一側面は、液体センサ部と、延長部とを有する液体検知シートに関する。液体センサ部及び延長部は、液体検知シートの厚みに直交する方向に離間して配置されている。延長部の少なくとも一部は透明である。
【００１１】
本発明の液体検知シートは、液漏れ検知対象物を液体センサ部上に載置し、延長部が液漏れ検知対象物を挟んで液体センサ部と対向するように当該液体検知シートを折り曲げると、液漏れ検知対象物を延長部で保護しつつ、液漏れ検知対象物の状態を延長部の外部から観察することができる。
【００１２】
上記液体センサ部は、第１の導電層、絶縁層及び第２の導電層がこの順で積層した積層体であって、第１の導電層、絶縁層及び第２の導電層を積層方向に貫通する貫通孔を有する積層体であってもよい。また、上記液体センサ部は、絶縁基材と、絶縁基材の一方の面上に設けられた一対の電極とを備える電極基材であってもよい。
【００１３】
上記液体検知シートは、液体センサ部の一方の面上に設けられた第１の吸液層を更に備えていてもよい。これにより、液体を第１の吸液層が吸い取って液体センサ部へ誘導することで、液体が液体センサ部に供給され易くなり、液体センサ部の感度を向上することができる。また、液漏れ検知対象物として人体の一部を液体センサ部上に載置し、人体からの血液又は尿の漏出を検知する場合、人体からの汗など、極少量の検知対象外の液体が液体センサ部に供給されることによる誤検知を防ぐことができる。この場合、人体が液体センサ部に直接触れないことで、人体に対する液体検知シートの肌触りをより快適にすることもできる。
【００１４】
上記液体検知シートは、延長部が液体センサ部と対向するように液体検知シートを折り曲げた状態で、延長部と液体センサ部とを固定する固定部材を更に備えていてもよい。
【００１５】
上記固定部材は、延長部と液体センサ部とを着脱可能に固定してもよい。
【発明の効果】
【００１６】
本発明によれば、液漏れ検知対象物を保護しつつ、液漏れ検知対象物の状態を外部から観察することができる液体検知シートを提供することができる。
【図面の簡単な説明】
【００１７】
【図１】図１は、第１実施形態に係る液体検知シートの一例を示す斜視図である。
【図２】図２は、第２実施形態に係る液体検知シートの一例を示す斜視図である。
【図３】図３は、図２に示す液体検知シートの断面図である。
【図４】図４は、図３に示す液体検知シートの使用方法を説明する断面図である。
【図５】図５は、第３実施形態に係る液体検知シートの一例を示す斜視図である。
【発明を実施するための形態】
【００１８】
以下、図面を参照して、本発明の好適な実施形態について詳細に説明する。ただし、本発明は以下の実施形態に限定されるものではない。本明細書に記載される数値範囲の上限値及び下限値は、任意に組み合わせることができる。
【００１９】
（第１実施形態）
図１は、第１実施形態に係る液体検知シートの一例を示す斜視図である。第１実施形態に係る液体検知シート１は、図１に示されるように、第１の導電層７、絶縁層９及び第２の導電層１１がこの順で積層した積層体１２を備える。積層体１２は、液体を検知可能な液体センサ部３と、延長部５とを有する。液体センサ部３及び延長部５は、積層体１２の厚みに直交する方向（Ｘ方向）に離間して配置されている。液体センサ部３は、第１の導電層７、絶縁層９及び第２の導電層１１を積層方向に貫通する貫通孔１３を有する。積層体１２は透明である。
【００２０】
液体センサ部３は、液体を検知する機能を有する。液体センサ部３は、液体が第１の導電層７上に供給されると、当該液体が積層体１２内の貫通孔１３を通って第２の導電層１１に接触する。これにより、第１の導電層７と第２の導電層１１とが液体を介して電気的に接続される。その結果、第１の導電層７及び第２の導電層１１間の電気抵抗が変化する。液体センサ部３は、第１の導電層７及び第２の導電層１１間の電気抵抗の変化に基づいて液体を検知することができる。
【００２１】
延長部５は、可視光線に対して透明である。延長部５は、具体的には、ＪＩＳ  Ｋ  ７３６１における全光線透過率が８０％以上であり、かつ、ＪＩＳ  Ｋ  ７１３６におけるヘイズ（曇価）が１８％以下であってよい。
【００２２】
絶縁層９は、電気絶縁性を有する層である。絶縁層９は、液体センサ部３に液体が供給されていない状態において第１の導電層７と第２の導電層１１とを電気的に絶縁する機能を有する。絶縁層９の材料は、絶縁性及び透明性を有するものであれば特に制限されないが、柔軟性を有するものが好ましい。絶縁層９の材料としては、例えば、絶縁性を有する樹脂が挙げられる。絶縁性を有する樹脂としては、例えば、ポリエチレンテレフタレート、ポリエチレン、ポリプロピレン、ナイロン、ポリカーボネート、ポリ塩化ビニル、ポリ塩化ビニリデン、ポリイミド、シリコーンゴム、シリコーン樹脂、熱可塑性エラストマーなどが挙げられる。これらの中でも、より安価であり、透明性に優れる観点から、ポリエチレンテレフタレートが好ましい。絶縁層９の厚さは、０．０１〜１０ｍｍとすることができる。絶縁層９の厚さは、第１の導電層７と第２の導電層１１との間の初期絶縁性、及び、液体検知シート１の薄型化の観点から、５０〜３００μｍが好ましい。絶縁層９の面の大きさは、液体検知シート１の用途に応じて適宜設定することができる。例えば、絶縁層９において、液体センサ部３と延長部５とが離間するＸ方向の長さＬＸは、１０〜４０ｃｍとすることができる。また、絶縁層９において、Ｘ方向に垂直なＹ方向の長さＬＹは、５〜３０ｃｍとすることができる。
【００２３】
第１の導電層７は、導電性を有する層である。第１の導電層７は、絶縁層９の一方の面上に設けられている。第１の導電層７の材料としては、導電性及び透明性を有するものであれば特に制限されないが、柔軟性を有するものが好ましい。第１の導電層７の表面抵抗率は特に制限されないが、液体センサ部３の感度がより向上する観点から、１×１０１２Ω／□以下が好ましく、１×１０３〜１×１０８Ω／□がより好ましい。第１の導電層７の材料としては、例えば、導電性を有する樹脂が挙げられる。第１の導電層７の材料として導電性を有する樹脂を用いることで、第１の導電層７の厚さを薄くすることが容易である。そのため、液体検知シート１の薄型化、軽量化及び低コスト化が可能である。また、導電性を有する樹脂を用いることで、液体検知シート１を使用する際に第１の導電層７が肌に直接触れる場合には、肌への感触の心地良さが向上するとともに、金属アレルギー症状が生じ難いという利点もある。第１の導電層７の厚さは、特に制限されないが、例えば、０．０１〜５μｍとすることができる。第１の導電層７の厚さは、液体検知シート１の薄型化の観点から、０．０２〜４μｍが好ましく、０．０３〜１μｍがより好ましく、０．０５〜０．１μｍが更に好ましい。
【００２４】
導電性を有する樹脂としては、例えば、導電性ポリマーを含む樹脂が挙げられる。導電性を有する樹脂中、導電性ポリマーの含有量は５０質量％以上とすることができる。また、導電性を有する樹脂として、絶縁性を有する樹脂に、カーボンブラック、導電性酸化チタン、金属粉などの無機導電性粉を混合した樹脂を用いてもよい。絶縁性を有する樹脂としては、上述したものと同じものを用いることができる。導電性を有する樹脂は、１種を単独で又は２種以上を組み合わせて用いることができる。
【００２５】
導電性ポリマーとしては、例えば、ポリピロール、ポリアニリン、ポリチオフェン、ポリチエニレンビニレン、ポリアズレン、ポリイソチアナフテン、ポリアセチレン、ポリフェニレン、ポリフェニレンビニレン、ポリアセン、ポリフェニルアセチレン、ポリジアセチレン及びポリナフタレンが挙げられる。カーボンブラックとしては、例えば、ケッチェンブラック（登録商標）、ファーネスブラック、チャンネルブラック、アセチレンブラック及びサーマルブラックが挙げられる。
【００２６】
第２の導電層１１は、導電性を有する層である。第２の導電層１１は、絶縁層９の第１の導電層７とは反対側の面上に設けられている。第２の導電層１１の材料としては、第１の導電層７と同じ材料を用いることができる。第２の導電層１１の表面抵抗率も第１の導電層７と同様とすることができる。第２の導電層１１の厚さは特に制限されないが、例えば、０．０１〜５μｍとすることができる。第２の導電層１１の厚さは、液体検知シート１の薄型化の観点から、０．０２〜４μｍが好ましく、０．０３〜１μｍがより好ましく、０．０５〜０．１μｍが更に好ましい。
【００２７】
延長部５の透明性を向上する観点から、第１の導電層７及び第２の導電層１１において、導電性を有する樹脂は、カーボンブラック、導電性酸化チタン等の無機導電性粉を含まない樹脂であることが好ましく、導電性ポリマーを含む樹脂であることが好ましい。延長部５が透明であることで、延長部５によって被覆された部分の状態を目視によって容易に観察することができる。例えば、液体検知シート１を血液透析処置において使用する場合には、患者の血管に挿入された針の状態を延長部５の外部から目視で確認することができ、血液の漏出を未然に防ぐことができる。また、血液の漏出があった場合にも、その漏出度合いを目視で確認することができる。延長部５における５５０ｎｍの光線の光透過率は、延長部５によって被覆された部分の視認性の観点から、２０％以上であることが好ましく、６５％以上であることがより好ましい。
【００２８】
第１の導電層７及び第２の導電層１１は、例えば、導電性を有する樹脂を水又はアルコール（例えばプロパノール等）などの溶媒に溶解又は分散させて塗液を調製し、塗液を絶縁層９の面上に塗布して塗膜を形成した後、乾燥して塗膜から溶媒を除去することで形成することができる。塗液の塗布方法としては、例えば、グラビアコーティング、ロールコーティング、バーコーティング、スプレーコーティング及びディッピングが挙げられる。第１の導電層７及び第２の導電層１１は、絶縁層９に対して一度に設けられてもよく、別々に設けられてもよい。
【００２９】
貫通孔１３は、図１に示されるように、第１の導電層７、絶縁層９及び第２の導電層１１を積層方向に貫通する貫通孔である。
【００３０】
貫通孔１３は液体センサ部３に複数設けられている。貫通孔１３は、正方形配置、すなわち、貫通孔１３の中心軸が正方形の頂点にそれぞれ位置するように配置されている。貫通孔１３間の間隔は、中心軸間間隔として、例えば、１０〜７５ｍｍとすることができる。貫通孔１３間の間隔は、液体センサ部３の感度がより向上する観点から、中心軸間間隔として、１３〜２５ｍｍが好ましい。また、貫通孔１３間の間隔は、ピッチとして、例えば、０〜６０ｍｍとすることができる。貫通孔１３間の間隔は、液体センサ部３の感度がより向上する観点から、ピッチとして、５〜３０ｍｍが好ましい。なお、ピッチとは、隣り合う２つの貫通孔１３において、中心軸間を結ぶ直線と一方の貫通孔１３の外周との交点、及び、中心軸間を結ぶ直線と他方の貫通孔１３の外周との交点間の距離を表す。貫通孔１３は円柱形状であり、貫通孔１３の孔径は、例えば、０．５〜７．５ｍｍとすることができる。液体センサ部３は、貫通孔１３の孔径が０．５ｍｍであっても液体が貫通孔１３内に流れ込むため、液体を検知することが充分に可能である。貫通孔１３の孔径は、液体が流れ込み易い観点から、３〜６ｍｍが好ましい。貫通孔１３は、例えば、打ち抜き加工法により設けることができる。貫通孔１３は、加工が容易であり、液体センサ部３の感度がより向上する観点から、第１の導電層７、絶縁層９及び第２の導電層１１を打ち抜き加工法によって一度に同径に貫通して設けられてもよい。
【００３１】
液体としては、例えば、血液、尿、汗、輸液、水、雨水、含水アルコール、水溶液などが挙げられる。
【００３２】
液体検知シート１は、例えば以下のようにして用いられる。まず、第１の導電層７及び第２の導電層１１に電極を接続する。電極の接続は、例えば、第１の導電層７及び第２の導電層１１に電極がそれぞれ接触するように、第１の導電層７の表面及び第２の導電層１１の表面に粘着剤、接続具などを用いて電極端子を貼り付けて行ってよい。また、電極の接続は、接続部を挟む一対の金属クリップがそれぞれ別々の電極に接続され、これらの金属クリップが互いにプラスチック製のバネで絶縁されているような２電極一体型のクリップ電極を用いて、積層体１２の任意の場所を挟むことで行ってもよい。また、電極の接続は、第１の導電層７及び第２の導電層１１にそれぞれ接続部を設けて、各接続部をクリップ電極で挟んで行ってもよく、各接続部に粘着剤などを用いて電極端子を貼り付けて行ってもよい。
【００３３】
次いで、液体検知シート１に、第１の導電層７及び第２の導電層１１に接続された電極を介して、電気抵抗、及び、電気抵抗の変化を検知する検知器を接続する。検知器は、電気抵抗を検出する抵抗検出部と、検出された電気抵抗の変化を判断する判断部と、電気抵抗の変化度合の判断結果に基づいて電気抵抗の変化を報知する報知部とを備える。報知部は、例えば、ランプ、ブザーなどである。電気抵抗の変化度合が一定以上の場合、報知部が作動することで電気抵抗の変化を知ることができる。
【００３４】
液体センサ部３が正常に動作するかどうかは、例えば、液体で湿らせた手で液体センサ部３に触れて液体を貫通孔１３内に供給したとき、液体検知シート１に接続されたブザーが鳴るかどうかを調べることで簡単に確認することができる。また、従来の液体センサにおいて、金属布を用いるものは、動作確認のために液体で湿らせてしまうと、液体センサを再び使用するためには湿らせた部分を乾かす必要があるが、液体センサ部３は、湿らせた部分をティッシュペーパーや布などを用いて容易に拭き取ることができるため、時間を要することなく再使用が可能であり、利便性が高い。
【００３５】
次いで、液漏れ検知対象物を液体センサ部３上に載置し、延長部５が液漏れ検知対象物を挟んで液体センサ部３と対向するように液体検知シート１を折り曲げる。これにより、液漏れ検知対象物を延長部５で保護しつつ、液漏れ検知対象物の状態を延長部５の外部から観察することができる。液体検知シート１を折り曲げた状態を保つためには、例えば、液体検知シート１のＸ方向の両端部を、クリップ又はテープなどを用いて固定すればよい。つまり、液体検知シート１（積層体１２）のＸ方向における液体センサ部３側の端部と延長部５側の端部とを固定すればよい。
【００３６】
液体検知シート１を血液透析処置において使用する場合、液体検知シート１は、液体センサ部３の第１の導電層７側に患者の手又は腕などを配置し、延長部５が患者の手又は腕を挟んで液体センサ部３と対向するように液体検知シート１を折り曲げて用いられる。血液透析処置中、血管に針が挿入されている患者の手又は腕などは、延長部５によって保護される。また、延長部５が透明であることで、患者の血管に挿入された針の状態を延長部５の外部から目視で確認することができる。血液透析処置中に患者の血管に挿入された針の抜けなどに起因する血液の漏出があれば、液体センサ部３に血液が供給されて第１の導電層７及び第２の導電層１１間の電気抵抗が変化し、検知器の報知部が作動して、血液の漏出を検知することができる。
【００３７】
（第２実施形態）
図２は、第２実施形態に係る液体検知シートの一例を示す斜視図である。図３は、図２に示す液体検知シートの断面図である。第２実施形態については、第１実施形態と異なる点のみ説明する。図２に示される液体検知シート１５は、液体センサ部３の一方の面上に、液体を吸収可能な第１の吸液層１７を更に備える。これにより、液体が少量であったり、貫通孔１３間の間隔が広かったり、液体センサ部３の厚みが不均一であるために液体センサ部３の表面が凹凸を有していたりなどして、液体が表面張力により液体センサ部３の表面上に留まって貫通孔１３内へ流れ込み難い場合でも、液体を第１の吸液層１７が吸い取って貫通孔１３内へ誘導することで、液体が貫通孔１３内に流れ込み易くなり、液体センサ部３の感度を向上することができる。第１の吸液層１７は、液体センサ部３の少なくとも一部を覆っていてよく、液体センサ部３の全体を覆っていてもよい。
【００３８】
液体検知シート１５を血液透析処置において使用する場合、液体検知シート１５は、第１の吸液層１７の液体センサ部３とは反対側に患者の手、腕などを配置して用いられる。液体検知シート１５は、第１の吸液層１７を有することにより、患者の汗など、血液以外の極少量の液体が液体センサ部３の貫通孔１３内へ流れ込むことによる誤検知を防ぐことができるという利点もある。また、患者の手、腕などが液体センサ部３に直接触れないことで、液体検知シート１５の肌触りをより快適にすることもできる。
【００３９】
第１の吸液層１７は、液体を吸収可能であれば特に制限されない。第１の吸液層１７の材料としては、例えば、不織布が挙げられる。第１の吸液層１７の厚さは、０．０１〜５０ｍｍとすることができる。第１の吸液層１７の目付は特に制限されないが、例えば、１０〜２００ｇ／ｍ２とすることができる。第１の吸液層１７の目付は、液体センサ部３の感度がより向上する観点から、１０〜１００ｇ／ｍ２が好ましく、１０〜７０ｇ／ｍ２がより好ましい。目付とは、単位面積当たりの質量である。
【００４０】
液体検知シート１５は、延長部５が液体センサ部３と対向するように液体検知シート１５を折り曲げた状態で、延長部５と液体センサ部３とを固定する固定部材１９ａ，１９ｂを更に備える。固定部材１９ａは、積層体１２のＸ方向における延長部５側の端部に設けられている。固定部材１９ｂは、第１の吸液層１７の積層体１２とは反対側の面上に設けられている。固定部材１９ａ及び１９ｂはそれぞれ、液体検知シート１５を折り曲げた状態で互いに対向する位置に設けられていればよい。固定部材１９ｂは、積層体１２のＸ方向における液体センサ部３側の端部に設けられていてもよい。固定部材１９ａ及び１９ｂは、延長部５と液体センサ部３とを着脱可能に固定してよい。
【００４１】
固定部材１９ａ，１９ｂは、液体センサ部３と延長部５とを固定可能であれば特に制限されない。固定部材１９ａ，１９ｂとしては、面ファスナー、ボタン、ホック、使い捨てテープ等が挙げられる。
【００４２】
液体検知シート１５は、積層体１２の第１の吸液層１７とは反対側に、液体を吸収可能な第２の吸液層２１を更に有する。これにより、液体センサ部３の貫通孔１３を通過した液体を第２の吸液層２１が吸い取ることで、液体が貫通孔１３内に流れ込み易くなり、液体センサ部３が液体と接触した場合の第１の導電層７及び第２の導電層１１間の導通性を向上することができる。
【００４３】
第２の吸液層２１は、液体を吸収可能であれば特に制限されない。第２の吸液層２１としては、第１の吸液層１７と同じ材料を用いることができる。第２の吸液層２１の厚さは、０．０１〜５０ｍｍとすることができる。
【００４４】
液体検知シート１５は、第２の吸液層２１の積層体１２とは反対側に、液体が貫通しない止水層２３を更に備える。これにより、液体が液体検知シート１５の止水層２３側に流出することを防ぐことができる。止水層としては、例えば、ポリエチレン製フィルムを用いることができる。
【００４５】
図４は、図３に示す液体検知シートの使用方法を説明する断面図である。液体検知シート１５を使用する場合、液漏れ検知対象物２５を液体センサ部３上に載置し、延長部５が液漏れ検知対象物２５を挟んで液体センサ部３と対向するように液体検知シート１５を折り曲げる。そして、延長部５と液体センサ部３とを固定部材１９ａ及び１９ｂで固定する。これにより、液漏れ検知対象物２５を延長部５で保護しつつ、液漏れ検知対象物２５の状態を延長部５の外部から観察することができる。
【００４６】
本発明に係る液体検知シートは、血液透析中の血液の漏出、尿漏れといった体液の漏出、輸液中の輸液漏れなどを検知するために用いることができる。また、本発明に係る液体検知シートの用途は、医療又は介護の分野に限られず、例えば、雨水の検知、水位計など、一般的な液体検知の用途にも適用することができる。
【００４７】
（第３実施形態）
図５は、第３実施形態に係る液体検知シートの一例を示す斜視図である。第３実施形態については、第１実施形態と異なる点のみ説明する。図５に示される液体検知シート２７は、絶縁基材３３と、絶縁基材３３の一方の面上に設けられた一対の電極３５ａ，３５ｂとを有する電極基材３７を備える。電極３５ａ及び３５ｂは、互いに平行して設けられている。電極３５ａ及び３５ｂは、それぞれ蛇行している。電極基材３７は、液体センサ部２９と延長部３１とを有する。液体センサ部２９は、電極基材３７の電極３５ａ及び３５ｂが設けられた部分である。延長部３１は、電極基材３７の液体センサ部２９の外側にある絶縁基材３３の部分である。絶縁基材３３は透明である。
【００４８】
液体センサ部２９は、液体が電極３５ａ及び３５ｂ上に供給されると、当該液体を介して電極３５ａ及び３５ｂが互いに電気的に接続される。その結果、電極３５ａ及び３５ｂ間の電気抵抗が変化する。液体センサ部２９は、電極３５ａ及び３５ｂ間の電気抵抗の変化に基づいて液体を検知することができる。
【００４９】
絶縁基材３３は、電気絶縁性を有する基材である。絶縁基材３３は、絶縁性及び透明性を有するものであれば特に制限されないが、柔軟性を有するものが好ましい。絶縁基材３３としては、絶縁層９と同じ材料を用いることができる。
【００５０】
以上、本発明の好適な実施形態について詳細に説明したが、本発明は上記実施形態に限られず、様々な変形態様を採用することができる。
【００５１】
例えば、液体センサ部３における貫通孔１３の数、配置、孔径及び貫通孔１３間の間隔は特に制限されず、液体の粘度などを考慮して適宜設定することができる。貫通孔１３は、長方形配置、すなわち、貫通孔１３の中心軸が長方形の頂点にそれぞれ位置するように配置されていてもよい。貫通孔１３は、三角形配置（千鳥配置）、すなわち、貫通孔１３の中心軸が三角形の頂点にそれぞれ位置するように配置されていてもよい。貫通孔１３は、上記以外の形状に配置されていてもよい。貫通孔１３の形状は、液体が通過可能な形状であれば特に制限されず、例えば、四角柱、六角柱などの角柱形状であってもよい。
【００５２】
また、液体センサ部３と延長部５は、別々の材料からなっていてもよい。延長部５は、少なくとも一部が透明であればよい。延長部５の面の大きさは特に制限されないが、延長部５の面における内接円の直径が３ｃｍ以上であることが好ましい。液体センサ部３は透明でなくてもよい。液体センサ部３は、液体を検知できるものであればよく、特に制限されない。
【００５３】
また、液体センサ部２９における電極３５ａ及び３５ｂの配置は特に制限されない。電極３５ａ及び３５ｂは、互いに離間して設けられていればよい。電極３５ａ及び３５ｂは、互いに平行に設けられていなくてもよい。電極３５ａ及び３５ｂは、それぞれ蛇行していなくてもよい。
【符号の説明】
【００５４】
１，１５，２７…液体検知シート、３，２９…液体センサ部、５，３１…延長部、７…第１の導電層、９…絶縁層、１１…第２の導電層、１２…積層体、１３…貫通孔、１７…第１の吸液層、１９ａ，１９ｂ…固定部材、２１…第２の吸液層、２３…止水層、２５…液漏れ検知対象物、３３…絶縁基材、３５ａ，３５ｂ…電極、３７…電極基材。
【図１】
2018040628.tif 000003
【図２】
2018040628.tif 000004
【図３】
2018040628.tif 000005
【図４】
2018040628.tif 000006
【図５】
2018040628.tif 000007